(57)【要約】【課題】散乱ビーム径を大きくせず、散乱光量を低下させることなく、投光軸と受光軸との間隔を小さくして、できるだけ大きな散乱角度を確保する。【解決手段】両面が平行平面状の光軸調整板Ｔ，Ｊを、投光レンズ４と集光レンズ５との間、又は受光レンズ６と集光レンズ５との間の平行光束の部分に傾けて設置した。【効果】平行光束同士の間隔を、平行関係を保ったまま近づけることができる。したがって、光量を減らさないで、散乱角を１８０度に近づけることができる。【選択図】　　　　図１
2004109011.tif 000002
【特許請求の範囲】
【請求項１】
光源と、試料溶液を収容する容器と、光源の光を平行光束にする投光レンズと、当該平行光束を集めて試料溶液に照射する集光レンズと、同じ集光レンズで集められた試料溶液からの散乱光を受光器に入射させる受光レンズと、受光器とを備える散乱光測定装置において、
両面が平行平面状の光軸調整板を、投光レンズと集光レンズとの間の投光軸上、又は受光レンズと集光レンズとの間の受光軸上の平行光束の部分に傾けて設置したことを特徴とする散乱光測定装置。
【請求項２】
前記光軸調整板を投光軸上及び受光軸上にそれぞれ設置している請求項１記載の散乱光測定装置。
【発明の詳細な説明】
【０００１】
【発明の属する技術分野】
本発明は、溶液に光を照射し、散乱体積内から散乱される光を検出することにより散乱光測定を行う散乱光測定装置に関するものである。
【０００２】
【従来の技術】
散乱光測定装置は、流体中に存在する粒子の動き（ブラウン運動）による散乱光の経時変化を測定する装置である。
従来の散乱光測定装置では、溶液の入った直方体のセルに対してレンズで絞ったレーザ光を照射し、その散乱光をフォトマルチプライヤ等の受光素子で測定していた。
【０００３】
溶液の濃度が濃い場合、粒子に当たって散乱された光がまた他の粒子に当たって測定されるという多重散乱の問題が起こる。
濃厚溶液では、この多重散乱の影響を避けることが、正確な測定のために重要である。
そのために、測定する散乱角度を１８０度近くに設定することが有効である。そこで従来では、照射光を集光する集光レンズと、散乱光を集める対物レンズとを同じレンズで共用する構成の光学系を採用している。
【０００４】
【特許文献１】特開平１１−５１８４３号公報
【０００５】
【発明が解決しようとする課題】
この場合、測定する散乱角度をできるだけ大きくする（限りなく１８０度に近くする）ためには、集光レンズの焦点距離を長くするか、投光軸と受光軸との間隔を小さくすることが重要である。
集光レンズの焦点距離を長くすると焦点の像が大きくなる（散乱ビーム径が大きくなる）ので、投光軸と受光軸との間隔を小さくすることが好ましい。
【０００６】
このためには、光源の光を平行光束にして集光レンズに入れる投光レンズと、同じ集光レンズで集められた試料溶液からの散乱光を受光器に照射する受光レンズとを近づける必要があるが、投光レンズと受光レンズとを近づけるには、投光レンズと受光レンズとの口径の制限がある。
投光レンズの口径を小さくすると光源の光量が不足するし、受光レンズの口径を小さくすると検出する散乱光の検出感度が不足してしまう。
【０００７】
そこで、本発明は、散乱ビーム径を大きくせず、散乱光量を低下させることなく、投光軸と受光軸との間隔を小さくして、できるだけ大きな散乱角度を確保することができる散乱光測定装置を実現することを目的とする。
【０００８】
【課題を解決するための手段及び発明の効果】
本発明の散乱光測定装置は、光源と、試料溶液を収容する容器と、光源の光を平行光束にする投光レンズと、当該平行光束を集めて試料溶液に照射する集光レンズと、同じ集光レンズで集められた試料溶液からの散乱光を受光器に入射させる受光レンズと、受光器とを備え、両面が平行平面状の光軸調整板を、投光レンズと集光レンズとの間の投光軸上、又は受光レンズと集光レンズとの間の受光軸上の平行光束の部分に傾けて設置したものである（請求項１）。
【０００９】
前記の構成によれば、光軸調整板を投光レンズと受光レンズとの間の平行光束の部分に、傾けて設置したことにより、平行光束同士の間隔を、平行関係を保ったまま近づけることができる。したがって、投光光量、受光光量を減らさないで散乱角を１８０度に近づけることができる。
前記光軸調整板は、投光軸上及び受光軸上の両方に設置することもできる（請求項２）。
【００１０】
【発明の実施の形態】
以下、本発明の実施の形態を、添付図面を参照しながら詳細に説明する。
図１（ａ）は本発明の実施形態にかかる散乱光測定装置を示す平面図、図１（ｂ）は側面図である。
光源２の光は、アパーチャ３を通過し、投光レンズ４によって平行光束にされる。当該平行光束は、集光レンズ５で集められてセル中の試料溶液Ｓに照射される。た試料溶液Ｓからの散乱光は、集光レンズ５で集められ、受光レンズ６、アパーチャ７を通して受光器８によって検出される。
【００１１】
前記光源２は、白色光源とモノクロメータの組み合わせで構成してもよく、レーザ発振装置などで構成してもよい。前記受光器８は、ＣＣＤなどの半導体素子で構成されたものでもよく、光電子増倍管などでもよい。
試料溶液Ｓは、セルに収容されているが、図では、セル壁の一部をなす、光透過窓９のみを描いている。
この実施形態では、平行な平面により両面が構成された光軸調整板Ｔ，Ｊを、投光軸上の投光レンズ４と集光レンズ５との間、及び受光軸上の集光レンズ５と受光レンズ６との間に設置している。
【００１２】
光軸調整板Ｔ，Ｊの材質は、光を透過させるものなら何でもよく、ガラス、セラミック、合成樹脂などを用いることができる。ただし、屈折率は、空気の屈折率とは異なるものでなければならない。
ここで、図２を用いて試料溶液Ｓ中の散乱部分の説明をする。投光軸に沿って照射された光は、散乱体積（図４の斜線部分）から散乱され、その一部が受光軸に沿って射出し、測定される。
【００１３】
投光ビームの径と、受光ビームの径とが重なる部分の長さを重なり長Ｌ、重なる部分の直径を散乱ビーム径Ｄで示している。また、投光軸と受光軸とがなす角度を散乱角φで示している。
図１に戻り、光軸調整板Ｔ，Ｊと、光軸とのなす角度は、固定されていてもよく、可変であってもよい。この傾き角度をα１と書く。
傾ける場合の回転軸の方向は、図１のＹ軸の方向とする。また、傾ける方向は、光軸調整板Ｔ，Ｊの屈折率が空気の屈折率よりも高い場合は、図１に示したように、光軸調整板Ｔと光軸調整板Ｊとが、互いに試料溶液Ｓ中の焦点位置を向く方向にする。
【００１４】
傾き角度α１を変化させる場合、可変方法はどんな方法を用いてもよいが、例えば、図３に示すように、光軸調整板Ｔ，Ｊを一軸回りに回転可能に取り付けて、プーリ１１、ベルト１２を介してモータ１３で回転駆動する方法があげられる。
光軸調整板と、入射光軸とのなす角度α１を０°からずらすと出射光軸が移動する原理を、図４を用いて説明する。光軸調整板の屈折率をｎ、厚さをｔとする。
【００１５】
図４に示すように、光軸調整板の入射面２１に立てられた法線と入射光軸Ａ１との傾き角をα１とする。入射光は、光軸調整板の入射面２１で屈折する。その屈折角をα２で表している。屈折された光は、光軸調整板の出射面２２でさらに屈折する。その屈折角はα１となる。光軸調整板の入射面２１上の入射点と、出射面２２上の出射点との位置ずれを、光軸に垂直に測定すると、Δｄとなる。Δｄは、幾何光学的考察から、
Δｄ＝ｔｓｉｎ（α１−α２）／ｃｏｓα２
＝ｔ　ｓｉｎα１［１−　ｃｏｓα１／√（ｎ２−　ｓｉｎ２α１）］
で表される。このように、光軸の位置ずれΔｄは、光軸調整板と入射光軸との傾き角α１の関数で表される。
【００１６】
したがって、光軸調整板を傾けることにより、光軸をずらすことができる。
投光軸上の光軸調整板Ｔを、投光軸が受光軸に近づくように傾け、受光軸上の光軸調整板Ｊを、受光軸が投光軸に近づくように傾けると、投光軸、受光軸間の間隔ｄ（図１参照）は、
ｄ―２Δｄ
となる。
【００１７】
このように光軸調整板Ｔ，Ｊを設置して投光軸、受光軸間の間隔ｄを狭くすることができるので、投光レンズ４、受光レンズ６はそのままで、散乱角φを１８０度に近づけることができる。
なお、図１の実施形態では、光軸調整板Ｔ，Ｊを、投光軸上の投光レンズ４と集光レンズ５との間、及び受光軸上の集光レンズ５と受光レンズ６との間にそれぞれ設置しているが、光軸調整板Ｔだけ、又は光軸調整板Ｊだけを設置してもよい。この場合は、投光軸、受光軸間の間隔ｄは、
ｄ―Δｄ
となる。
【００１８】
【実施例】
図１に示した光学系で、光軸調整板Ｔ，Ｊを設置しない場合と設置した場合とをシミュレーションしてみた。
【００１９】
【表１】
2004109011.tif 000003
【００２０】
各レンズ４〜６のパラメータを適当に設定して、ある光学系Ａを構成した。散乱角φ、散乱ビーム径Ｄ、重なり長Ｌは、表１に掲げたように、それぞれ１７２．６度，１２．３μｍ，１７０μｍであった。
屈折率１．５、厚さ３ｍｍの光軸調整板Ｔを、傾斜角α１＝３０度で投光軸上に設置し、屈折率１．５、厚さ３ｍｍの光軸調整板Ｊ、傾斜角α１＝−３０度で受光軸上に設置したところ、散乱角φは、表１に掲げたように、２．９度増加して１７５．５度になり、散乱ビーム径Ｄは変わらず、重なり長Ｌは３９６μｍ増加して５６６μｍとなった。
【００２１】
希薄な溶液を想定すれば、散乱光量は、散乱体積に比例する。散乱体積は、３．３倍になるので、散乱光量も３．３倍になる。
したがって、散乱ビーム径Ｄはそのままで、散乱角φを１８０度に近づけることができ、かつ、より明るい散乱光を測定できる。
【００２２】
【表２】
2004109011.tif 000004
【００２３】
各レンズ４〜６のパラメータを適当に設定して、他の光学系Ｂを構成した。散乱角φ、散乱ビーム径Ｄ、重なり長Ｌは、表２に掲げたように、それぞれ１７３．９度，１４．７μｍ，２４０μｍであった。
屈折率１．５、厚さ４ｍｍの光軸調整板Ｔを、傾斜角α１＝３０度で投光軸上に設置し、屈折率１．５、厚さ４ｍｍの光軸調整板Ｊ、傾斜角α１＝−３０度で受光軸上に設置したところ、散乱角φは、表１に掲げたように、３．２度増加して１７７．１度になり、散乱ビーム径Ｄは変わらず、重なり長Ｌは４３７６μｍ増加して４６１９μｍとなった。
【００２４】
散乱光量は１８．５倍になった。
したがって、散乱ビーム径Ｄはそのままで、散乱角φを１８０度に近づけることができ、かつ、より明るい散乱光を測定できる。
【００２５】
【発明の効果】
以上のように本発明によれば、投光レンズや受光レンズの口径や焦点距離、集光レンズの焦点距離は特に変えなくても、光軸調整板を平行光束の部分に傾けた状態で設置するだけで、散乱角φを１８０度に近づけることができる。この結果、投受光の重なり長を長くすることができ、散乱光量を多くできる。したがって、散乱光量の少ない希薄溶液から、散乱光量の多い濃厚溶液まで、正確に散乱光の測定を行える、という優れた効果が得られる。
【図面の簡単な説明】
【図１】（ａ）は本発明の実施形態にかかる散乱光測定装置を示す平面図、（ｂ）は側面図である。
【図２】試料溶液Ｓ中の散乱部分の重なり長Ｌ、散乱ビーム径Ｄ、散乱角φを示す説明図である。
【図３】光軸調整板を回転させる方法を例示した斜視図である。
【図４】光軸調整板を傾けて光軸を移動させる原理を説明するための光路図である。
【符号の説明】
２　光源
３　アパーチャ
４　投光レンズ
５　集光レンズ
６　受光レンズ
７　アパーチャ
８　受光器
９　光透過窓
１１　プーリ
１２　ベルト
１３　モータ
２１　入射面
２２　出射面
Ｄ　散乱ビーム径
Ｌ　重なり長
Ｓ　試料溶液
Ｔ，Ｊ　光軸調整板
φ　散乱角
【図１】
2004109011.tif 000005
【図２】
2004109011.tif 000006
【図３】
2004109011.tif 000007
【図４】
2004109011.tif 000008